(57)【特許請求の範囲】
【請求項１】
被検知ガスの流入を許容すると共に、外周部からの煙の流入を許容するケースと、
前記ケースの内部に流入した前記被検知ガスを検知可能なガスセンサと、
発光部及び受光部を有し、前記ケースの内部に流入した煙を感知する光電式の煙センサと、
電池を収容する電池収容部と、を備え、
前記ガスセンサと前記煙センサと前記電池収容部とは、
前記煙センサに対して前記ガスセンサが、前記煙センサの中心を基準として、前記発光部の背後側及び前記受光部の背後側の何れか一方側に位置する状態、かつ、前記煙センサに対して前記電池収容部が、前記煙センサの中心を基準として、前記発光部の背後側及び前記受光部の背後側の何れか他方側に位置する状態で、
前記ケースの厚み方向における夫々の占有範囲の少なくとも一部が互いに重複するように、前記ケースの内部に配設されている警報器。
【請求項２】
前記煙センサの外周部に、前記煙センサの内部に連通する複数の煙導入口を備えると共に、前記ケースの内部に流入した煙を、前記煙導入口まで案内する煙案内部を複数備え、
前記ガスセンサ又は前記電池収容部と前記煙センサとの隙間を、前記煙案内部によって塞ぎ込み、閉じられた領域としてある請求項１に記載の警報器。
【請求項３】
前記電池収容部は、前記警報器を壁面に取り付けた際に前記煙センサの上方に位置するように、かつ、前記厚み方向において前記ケースの内面との間に隙間が生じるように、配設してある請求項１に記載の警報器。
【発明の詳細な説明】
【技術分野】
【０００１】
本発明は、被検知ガスの流入を許容すると共に、外周部からの煙の流入を許容するケースと、前記ケースの内部に流入した前記被検知ガスを検知可能なガスセンサと、発光部及び受光部を有し、前記ケースの内部に流入した煙を感知する光電式の煙センサと、を備えた電池式かつ複合型の警報器に関する。
【背景技術】
【０００２】
従来から、可燃性ガスのガス漏れ検知を要する場所と火災が発生しやすい場所とが同じエリアであることが多いという理由や、また、火災の早期発見及び火災時の不完全燃焼によって発生したＣＯ（一酸化炭素）の検知とを可能にするという理由等から、ガスセンサと煙センサとを備えた複合型の警報器が提供されている。
【０００３】
このような警報器としては、例えば、特許文献１に記載のように、ガスセンサと光電式の煙センサ（文献では、「煙検知ユニット」）とを備えた火災ガス漏れ複合型警報器があった。この警報器では、ケースのうち煙センサが配設される部分が突出しており、この突出部分の外周部から煙の流入が許容される。
【先行技術文献】
【特許文献】
【０００４】
【特許文献１】特開２０００−３３９５６７号公報
【発明の概要】
【発明が解決しようとする課題】
【０００５】
ところで、このような警報器は、壁面や天井面等の比較的目立ち易い場所に設置されるので、近年、警報器の外観デザインの改良にも力が注がれ、厚みが薄く、コンパクトな警報器が開発されつつある。例えば、特許文献１に記載の警報器のようなものは、煙センサを引退させれば良い。つまり、ガスセンサと煙センサとを、ケースの厚み方向における夫々の占有範囲の少なくとも一部が互いに重複するように配置すれば良い。これにより、ケースの突出を抑えられ、すっきりしたデザインとすることができる。
【０００６】
しかしながら、煙センサは、何れの方向（周囲八方向）からの煙も、ある程度の応答速度で感知可能でなければならない。よって、上述したように、単純に煙センサを引退させただけでは、煙の流入がガスセンサによって妨げられ、ガスセンサの方向における煙感知速度が低下する虞がある。また、特に、電源として電池を使用する警報器であれば、電池収容部も煙の流入を阻害する要因となる。このように、煙の流入に配慮しつつ、警報器のデザインの向上を図るのは非常に難しい。
【０００７】
上記実情を鑑み、本発明は、薄型な外観形状であって、かつ、応答性の良い複合型の警報器を提供することを目的とする。
【課題を解決するための手段】
【０００８】
本発明に係る警報器の第一特徴構成は、被検知ガスの流入を許容すると共に、外周部からの煙の流入を許容するケースと、前記ケースの内部に流入した前記被検知ガスを検知可能なガスセンサと、発光部及び受光部を有し、前記ケースの内部に流入した煙を感知する光電式の煙センサと、電池を収容する電池収容部と、を備え、前記ガスセンサと前記煙センサと前記電池収容部とは、前記煙センサに対して前記ガスセンサが、前記煙センサの中心を基準として、前記発光部の背後側及び前記受光部の背後側の何れか一方側に位置する状態、かつ、前記煙センサに対して前記電池収容部が、前記煙センサの中心を基準として、前記発光部の背後側及び前記受光部の背後側の何れか他方側に位置する状態で、前記ケースの厚み方向における夫々の占有範囲の少なくとも一部が互いに重複するように、前記ケースの内部に配設された点にある。
【０００９】
本構成によると、ガスセンサと煙センサと電池収容部とは、ケースの厚み方向における夫々の占有範囲の少なくとも一部が互いに重複するように、ケースの内部に配設されている。つまり、ガスセンサと煙センサと電池収容部とは、ケースの厚み方向において集約され、ケースにコンパクトに収容されており、警報器全体としての厚みが薄くなる。
【００１０】
また、通常、煙センサの外周部のうち、発光部の背後（煙センサの外周側であって、照射する部分とは反対側）及び受光部の背後（煙センサの外周側であって、受光する部分とは反対側）に当る箇所は、壁で塞がれて、煙を導入する開口を設けていない。本特徴構成であると、ガスセンサ及び電池収容部は、煙センサに対して、煙センサの中心を基準として、発光部の背後側または受光部の背後側に夫々設けられている。したがって、ガスセンサ及び電池収容部を、煙センサの煙を導入する開口に対向する位置に設けた場合と比較して、各段に煙の流通を阻害し難く、煙感知の応答性を維持できる。
【００１１】
つまり、本特徴構成であると、警報器を薄型としつつも、応答性の良い警報器を提供することができる。
【００１２】
本発明に係る警報器の第二特徴構成は、前記煙センサの外周部に、前記煙センサの内部に連通する複数の煙導入口を備えると共に、前記ケースの内部に流入した煙を、前記煙導入口まで案内する煙案内部を複数備え、前記ガスセンサ又は前記電池収容部と前記煙センサとの隙間を、前記煙案内部によって塞ぎ込み、閉じられた領域とした点にある。
【００１３】
上述したように、警報器を薄型に構成したため、ケース内部の空間においてガスセンサ及び電池収容部が占有する割合は高い。このため、ガスセンサ又は電池収容部と煙センサとの間に隙間があると、ガスセンサ又は電池収容部の両側方を通過してケース内に流入する煙は、ガスセンサ等をかわした直後に、その隙間に巻き込まれて対流を起こし、円滑に煙導入口から煙センサ内部に導入されない。このため、煙感知の応答速度が低下する虞がある。本特徴構成であると、その隙間を煙案内部で塞いで、閉じられた領域としてあるので、ガスセンサ等の両側方を通過した煙は、煙案内部に案内されて円滑に煙センサ内部に導入される。よって、煙感知の応答速度が低下する虞がなくなる。
【００１４】
本発明に係る警報器の第三特徴構成は、前記電池収容部は、前記警報器を壁面に取り付けた際に前記煙センサの上方に位置するように、かつ、前記厚み方向において前記ケースの内面との間に隙間が生じるように、配設した点にある。
【００１５】
煙感知はどの方向からの煙に対しても、ある程度の応答速度で煙を感知できなければならず、通常、ケースの外周部には全周に亘って万遍なく煙を流入する開口が設けられている。このため、警報器を壁面に取り付けて使用する場合、警報器の上方から埃等がケース内部に侵入し、さらに、この埃等が煙センサの内部に侵入した場合、誤感知する虞がある。本特徴構成であると、電池収容部を煙センサの上方に配置するため、それが笠となって、上方からの埃が煙センサの内部に侵入する確率が減る。また、上方からの煙の流入があったとしても、本特徴構成であると、厚み方向において、ケースの内面と電池収容部との間に隙間を設けてあるので、その隙間からある程度の煙が煙センサに導入され、応答速度の低下を抑えられる。
【図面の簡単な説明】
【００１６】
【図１】本発明に係る警報器の斜視図である。
【図２】本発明に係る警報器の正面図である。
【図３】本発明に係る警報器の一側面図（上面図）である。
【図４】図３におけるＩＶ−ＩＶ方向の断面図（背面視）である。
【図５】図２におけるＶ−Ｖ方向の断面図である。
【図６】本発明に係る警報器の正面側からの分解斜視図である。
【図７】ＣＯセンサの側からの煙の流入の様子を示す模式図であって、（ａ）〜（ｃ）は煙の流入方向を変化させたものである。
【発明を実施するための形態】
【００１７】
以下に、本発明に係る警報器の実施形態を図面に基づいて説明する。
【００１８】
〔全体構成について〕
図１，２，４，５に示すごとく、警報器は、被検知ガスの流入を許容すると共に、外周部からの煙の流入を許容するケースＣと、ケースＣの内部に流入した被検知ガスを検知可能なガスセンサと、ケースＣの内部に流入した煙を感知する光電式の煙センサ６と、電池Ｂを収容する電池収容部４２と、壁面Ｗ（図５参照）又は天井面に固定され、ケースＣを取り外し可能な取付部５と、を備えている。つまり、本発明に係る警報器は、被検知ガスの検知と、煙の感知とが可能な複合型の警報器である。なお、本実施形態においては、「ガスセンサ」はＣＯセンサ７であり、ＣＯ（一酸化炭素）ガスを検知するものである。
【００１９】
煙センサ６及びＣＯセンサ７は、図５に示すごとく、基板９の正面側に取り付けられて、後述する流通空間Ｓ１に位置する。煙センサ６が煙を感知し、煙の濃度が予め設定した閾値を越えた場合に、または、ＣＯセンサ７がＣＯガスを検知し、ＣＯガスの濃度が予め設定した閾値を越えた場合に、ケースＣに内蔵されたスピーカー８から警報音が発せられる。ケースＣの表面に配設されたスイッチ１１を押せば、警報音は停止する。
【００２０】
以下、警報器を壁面Ｗ（図５参照）に設置することを前提として、壁面Ｗとは反対側を正面側または前側とし、壁面Ｗの側を背面側または後側とする。したがって、「正面視」とは正面側から警報器を観ることを示し、「背面視」とは背面側から警報器を観ることを示す。上下方向については、図１，２，４，５，７の紙面上方向が警報器の「上」であり、同下方向が「下」であるとして説明を行う。図３においては、紙面手前方向が「上」であり、図６においては、紙面左方向が「上」である。また、「厚さ」とは前後方向の厚さを指し、「厚み方向」とは警報器の前後方向のことを指すこととする。
【００２１】
〔ケースについて〕
ケースＣは、図１，３，５，６に示すごとく、フロントケース１と、リアケース２と、中間ケース３と、リアケースカバー４とを備えており、正面視で円形形状であり、前後方向に突起部分がないフラットな形状である。フロントケース１とリアケース２とリアケースカバー４と中間ケース３とは、樹脂製であって、射出成形によって製作してある。図５，６に示すごとく、フロントケース１、リアケース２、リアケースカバー４、及び、中間ケース３の正面視での外形は、全て略同径の円形状である。
【００２２】
フロントケース１は、正面側の化粧カバーとなるものであって、その表面は、図１，３，に示すごとく、全体としては略フラットであるが、細かく言えば、中心部分の厚さが最も厚く、外周部分に向って僅かに傾斜し、外周部分の方が中心部分よりもやや厚さが薄い。図２に示すごとく、フロントケース１の正面側のうち、中心よりも上部分にスピーカー８用の音響口１３を開口し、中心よりも右上部分にＣＯガスが流通可能なガス流通口１４を開口してある。また、フロントケース１の正面側の中心部分には、リング形状のランプカバー１２を配設してある。ランプカバー１２は、ケースＣの内部に配設された不図示のランプ（電球や発光ダイオード等）を覆っている。ランプは、点灯または点滅により、警報音と共に警報を報知し、また、警報とは別の情報（電池切れや故障等）を報知する。
【００２３】
リアケース２は、図６に示すごとく、有底の概ね円筒形状であって、底のある側がフロントケース１の側になるように配設され、後側に大きく開口している。図１，３〜６に示すごとく、リアケース２の外周部を横格子状に形成し、流入口２３を設けてある。煙やＣＯガスは流入口２３からケースＣの内部に対して流出入可能である。リアケース２の背面側には、図４に示すごとく、後述する「煙案内部」としてのリブ２１，２２を背面方向向けに立設してある。一部のリブ２１によって、ＣＯセンサ７を収容するＣＯセンサ収容部２４や、後述する閉領域２５，２６，２７等の閉じられた領域を構成してある。
【００２４】
ＣＯセンサ収容部２４は、図２に示すごとく、正面視で警報器の中心部分の右側において、ケースＣの円形状の径方向に直交する方向向き（上下向き）の姿勢となるように配設されている。図４に示すごとく、ＣＯセンサ収容部２４のうち、外周側の面の上側部分には、ＣＯガスが流通可能なガス導入口２８を複数設けてある。なお、上述したガス流通口１４は、図２に示すごとく、ＣＯセンサ収容部２４のうちの上部分に連通している。
【００２５】
また、リアケース２の正面側には、スピーカー８を収容する凹部（符号なし）や、フロントケース１のガス流通口１４とＣＯセンサ収容部２４とを連通する開口部（符号なし）を設けてある。
【００２６】
リアケースカバー４は、図５に示すごとく、リアケース２の背面側を覆って、ケースＣの裏面を構成する。図２，６に示すごとく、リアケースカバー４のうち正面視で中心よりも左上側の部分を、正面側に向けて凹入し、電池収容部４２を形成してある。つまり、電池Ｂは、ケースＣを分解することなく、ケースＣの裏側から簡単に取り外しできる。電池収容部４２は、図２に示すごとく、正面視で、ケースＣの円形状の径方向に直交する方向向きの姿勢となるように配設されている。
【００２７】
このように、フロントケース１がケースＣの正面を構成し、リアケース２がケースＣの外周面を構成し、リアケースカバー４がケースＣの背面を構成している。図５に示すごとく、中間ケース３によって、フロントケース１とリアケース２とリアケースカバー４とで囲まれる空間を、前後方向に二つに仕切って、中間ケース３よりも前側の流通空間Ｓ１と、中間ケース３よりも後側の基板空間Ｓ２とを構成してある。そして、ＣＯセンサ７及び煙センサ６は流通空間Ｓ１に配設し、基板９は基板空間Ｓ２に配設してある。
【００２８】
基板空間Ｓ２の前後方向の大きさ（厚さ）は、基板９が配設可能な厚さがあれば十分であるので、中間ケース３に、図５，６に示すごとく、電池収容部４２の形状に対応する開口（符号なし）を設け、電池収容部４２の一部を流通空間Ｓ１に突出させてある。これにより、基板空間Ｓ２が薄くて済み、ケースＣの厚さが不要に厚くならない。また、基板９の正面側に取り付けられたＣＯセンサ７及び煙センサ６（図５参照）が、ＣＯセンサ７及び煙センサ６を流通空間Ｓ１に位置するように、図６に示すごとく、中間ケース３に、ＣＯセンサ７及び煙センサ６の夫々の形状に対応する開口（符号なし）を設けてある。
【００２９】
〔取付部について〕
取付部５は、ケースＣに先行して壁面Ｗ（図５参照）に固定するものである。取付部５は樹脂製であり、射出成形により製作してある。特に図示はしないが、取付部５には、例えば、石膏ボードピン等の固定具を挿通可能な孔が形成してある。また、固定具はビス等の締結具であっても良く、取付部５に、石膏ボードピン用の孔以外にビス穴を併設してあっても良い。壁面Ｗに取り付けた取付部５に、係合等によりケースＣを取り付ける。
【００３０】
〔煙センサについて〕
煙センサ６は、図４，６に示すごとく、円筒形状であって、外周部に万遍なく備えられて煙を導入可能な複数の煙導入口６３と、外部からの光を遮断するように間隙を介して並置された複数のラビリンス状の壁部（符号なし）と、煙センサ６の内部に光を照射する発光部６１と、煙センサ６の内部に流入した煙によって散乱された発光部６１からの光を感知する受光部６２と、を備えている。
【００３１】
煙導入口６３を煙センサ６の外周部に万遍なく設けてあるので、ケースＣの内部に３６０度どの方向から煙が流入しても煙センサ６は煙を感知が可能である。発光部６１と受光部６２とは、夫々煙センサ６の中心方向向けの状態で、中心角約９０度の間隔を開けて、夫々煙センサ６の外周部沿いに設けてある。煙センサ６の外周部のうち、発光部６１と受光部６２との背面となる部分は、遮光のために壁で塞いである。また、発光部６１としては、例えば、発行ダイオードを使用し、受光部６２としては、例えば、フォトダイオードを使用する。特に図示はしないが、煙導入口６３の外周側には防虫網を設けてある。煙センサ６は公知の構成であるので、その他の煙センサ６の構成については特に説明をしない。
【００３２】
〔ＣＯセンサについて〕
ＣＯセンサ７は、図２，４に示すごとく、ＣＯセンサ収容部２４に収容されている。ＣＯセンサ７は、例えば、電気化学式のセンサであって、ガス流通口１４やガス導入口２８からＣＯセンサ収容部２４に流入した不完全燃焼排気ガス中のＣＯガスを検知する。このように、煙センサ６だけでなく、ＣＯセンサ７を備えて、不完全燃焼による一酸化炭素を検知することで、火災の早期発見及びＣＯ中毒の防止が可能となる。
【００３３】
〔ケースの組付けについて〕
ケースＣの組付けについて、図５，６に基づいて詳しく説明する。フロントケース１の背面側とリアケース２の正面側（底部分）とを背中合わせにセットする。フロントケース１とリアケース２との間の空間には、スピーカー８やランプを配設する。
【００３４】
別途、煙センサ６及びＣＯセンサ７の側が正面側になるように基板９をリアケースカバー４の正面側にセットし、さらに、基板９に覆い被せるように、正面側から中間ケース３をリアケースカバー４にセットする。この際、煙センサ６とＣＯセンサ７と電池収容部４２とは、中間ケース３を貫通し、正面側に露出する。
【００３５】
最後に、リアケース２に対してリカアケースカバーをセットする。この際、リアケースカバー４の背面側から、リアケースカバー４とフロントケース１とをネジ固定する。これにより、リアケース２と中間ケース３とは、フロントケース１とリアケースカバー４とによって挟持されて固定される。
【００３６】
〔各部のレイアウトについて〕
ケースＣの内部における各部のレイアウトについて説明する。まず、煙センサ６とＣＯセンサ７と電池収容部４２との位置関係を説明する。まず、煙センサ６は、図４に示すごとく、背面視で、発光部６１が左上側に位置するように、かつ、受光部６２が右上側に位置するように、ケースＣの中心よりも右下寄りに配設してある。
【００３７】
ＣＯセンサ７は、図４に示すごとく、背面視で、煙センサ６に対して左方向やや上寄りに配設されている。つまり、ＣＯセンサ７は、煙センサ６の中心を基準として、発光部６１の背後側に位置するように配設してある。また、ＣＯセンサ７は、上述したように、ケースＣの円形状の径方向に直交する方向向きの姿勢であるが、煙センサ６の円形状の径方向に対しては直交するのではなく、やや傾けた姿勢としてある。
【００３８】
電池収容部４２は、図４に示すごとく、背面視で、煙センサ６に対して略上方向に配設されている。つまり、電池収容部４２は、煙センサ６の中心を基準として、受光部６２の背後側に位置するように配設してある。また、電池収容部４２も、上述したように、ケースＣの円形状の径方向に直交する方向向きの姿勢であるが、煙センサ６の円形状の径方向に対しては直交するのではなく、やや傾けた姿勢としてある。
【００３９】
即ち、ＣＯセンサ７及び電池収容部４２は、ケースＣの円形状の径方向に直交する姿勢であるので、ケースＣに対しては最もコンパクトに収容されている。また、ＣＯセンサ７及び電池収容部４２は、煙センサ６の円形状の径方向に対しては直交していないので、煙センサ６を基準とするＣＯセンサ７及び電池収容部４２の見付幅が狭くなり、煙センサ６に対する煙の流通が阻害され難い。さらに、ＣＯセンサ７及び電池収容部４２は、煙センサ６の中心を基準として、壁で塞がれている発光部６１の背後側及び受光部６２の背後側の夫々に位置するので、煙の流通に対して与えられる影響が少ない。
【００４０】
また、ケースＣの厚み方向においては、図５に示すごとく、煙センサ６、ＣＯセンサ７、及び、電池収容部４２は、夫々の占有範囲の一部が互いに重複するように、ケースＣの内部に配設されている。つまり、これらを、ケースＣの厚み方向において出来るだけ集約してケースＣにコンパクトに収容することにより、薄型の警報器としてある。
【００４１】
なお、電池収容部４２は、図４に示すごとく、煙センサ６の略上方向において、煙センサ６の幅方向（紙面左右方向）の全域に亘る姿勢で配設されている。また、図５に示すごとく、電池収容部４２とリアケース２の背面部との間に隙間Ｇを設けてある。よって、警報器を壁に取り付けて使用する場合、警報器の上方から埃等がケースＣの内部に侵入しても、電池収容部４２が笠となって、その埃が煙センサ６にまで至ることを防止できる。また、上方からの煙の流入があったとしても、隙間Ｇを設けてあるので、その隙間Ｇからある程度の煙が煙センサ６に導入され、応答速度の低下を抑えられる。
【００４２】
〔リブについて〕
流入口２３から流入した煙は、リブ２１，２２（図４参照）に案内されて、煙導入口６３に至る。リブ２１，２２は、上述したように、リアケース２の背面側から背面方向向けに立設され、その先端は、中間ケース３に当接している。つまり、図５に示すごとく、リブ２１，２２は、流通空間Ｓ１を複数の流路に仕切っている。
【００４３】
リブ２１は、図４に示すごとく、煙導入口６３を起端としてケースＣの外周部の側に向けて延びて、終端はケースＣの外周部に達している。一方、リブ２２は、同様に、煙導入口６３を起端としてケースＣの外周部の側に向けて延びてはいるが、終端はケースＣの外周部に達していない。何れのリブ（２１，２２）にせよ、このように、リブ２１，２２を備えることにより、何れの方向から煙が流入しても、流入した煙は煙導入口６３まで円滑に案内される。なお、リブ２２の終端をケースＣの外周部にまで達しさせていない理由については後述する。
【００４４】
また、図４に示すごとく、リブ２１によってＣＯセンサ７と煙センサ６との間の空間を塞ぎ込み、閉じられた閉領域２５を形成している。閉領域２５は、ＣＯセンサ収容部２４と一体となって、ケースＣの外周部と煙センサ６の外周部との間の全範囲に亘って形成された領域である。上述したように、警報器を薄型に構成するために、厚み方向に、煙センサ６とＣＯセンサ７と電池収容部４２とを集約したので、流通空間Ｓ１においてＣＯセンサ７が占有する割合は高い。また、流通空間Ｓ１においてＣＯセンサ収容部２４がリアケース２の背面側と中間ケース３の正面側とに亘っているため、ＣＯセンサ７と煙センサ６との間に隙間があると、ＣＯセンサ７の両側方の流通路Ａ１，Ａ２を通過してケースＣ内に流入する煙は、ＣＯセンサ７をかわした直後に、その隙間に巻き込まれて対流等して乱れ、円滑に煙導入口６３から煙センサ６内部に導入されない。このため、煙感知の応答速度が低下する虞がある。
【００４５】
しかし、隙間をリブ２１で塞いで閉領域２５としてあるので、煙が円滑に煙導入口６３から煙導入口６３に案内されて、上述のような流れに乱れが生じない。同様に、リアケースカバー４の正面側の外周部から立設した外周壁４１や、フロントケース１とリアケースカバー４とを組付けるネジ用のボス部等、煙の流れの乱れを生じさせ得る箇所を、リブ２１で囲い込んで、閉領域２６，２７を形成してある。
【００４６】
〔特定の方向からの煙の流入について〕
図４，７に基づいて、終端がケースＣの外周部に達していないリブ２２について説明する。本実施形態においては、図４に示すごとく、ＣＯセンサ７の長手方向（上下方向）の長さは、ケースＣの直径の１／２を越えている。したがって、ＣＯセンサ７の長手方向に直交する方向（図７（ｂ）参照）、または、それに近い方向（図７（ａ），（ｃ）参照）から煙が流れてきた場合、流入口２３からケースＣ内部に流入する煙の量は少なくなりがちである。この場合、その方向に対応する煙導入口６３に導入される煙は少なくなり、その方向からの煙に対する応答速度が低下する虞がある。そこで、ＣＯセンサ収容部２４の両隣の流通路Ａ１及び流通路Ａ２が、ケースＣの外周部に近付くに従ってラッパ状に拡大するように、リブ２１，２２を途中で屈曲して、対応する流入口２３の間口を広げ、少しでも多くの煙が流入できるようにしてある。
【００４７】
ところで、リブ２２を挟んでＣＯセンサ収容部２４の反対側には、閉領域２６が存在する。この閉領域２６は、ＣＯセンサ収容部２４及び閉領域２５による閉じられた領域とは異なり、ケースＣの外周部と煙センサ６の外周部との間の全範囲には亘らないようにしてあり、流通路Ａ３を形成してある。閉領域２６と煙センサ６の外周部との間まで閉じた領域としてしまうと、ＣＯセンサ収容部２４付近からの煙の流入量が相当減ってしまうからである。閉領域２６は、周方向の幅が比較的狭いで領域であり、かつ、閉領域２６と煙センサ６の外周部との間の領域の一方側をリブ２１で仕切ってあるので、流入した煙の乱れはさほど生じない。
【００４８】
ただし、仮にリブ２２の終端がケースＣの外周部に達していると、図７（ｂ），（ｃ）のような方向から煙が流れてきた際に、流通路Ａ１及び流通路Ａ２には適切に煙が流入するが、流通路Ａ３については、リブ２２の終端部分に阻害されて煙がほとんど流入せず、結局、それらの方向からの煙に対する応答速度が低下する。
【００４９】
そこで、本実施形態においては、リブ２２をケースＣの外周部に達しないようにしてある。これにより、図７（ａ），（ｂ），（ｃ）に示すごとく、ＣＯセンサ７の長手方向に直交する方向（図７（ｂ）参照）、または、それに近い方向（図７（ａ），（ｃ）参照）から煙が流れてきた場合に、煙導入口６３のうちＣＯセンサ７側の煙導入口６３に円滑かつ万遍なく煙が導入される、この結果、ＣＯセンサ収容部２４を設けたことによって応答速度が低下するのが好適に防止される。
【００５０】
なお、電池収容部４２もＣＯセンサ収容部２４と同様に広範囲に亘る領域ではあるが、上述したように、リアケース２の背面と電池収容部４２との間には隙間Ｇがあるので（図５参照）、電池収容部４２の方向からの煙に対しての流入量は確保できる。
【００５１】
〔別実施形態〕
（１）上述の実施形態においては、ケースＣの正面視形状を円形状としたが、この形状に限定されるものではない。ケースＣの正面視の形状は、円形状以外の形状、例えば、三角形状、四角形状等の多角形状や、楕円形状等であっても良い。
【００５２】
（２）上述の実施形態においては、電池収容部４２とリアケース２の背面部との間に隙間Ｇを設けてある例を示したが、その隙間Ｇを設けていない構成であっても良い。この場合は、電池収容部４２の方向からの煙の流入量を確保すべく、適宜、電池収容部４２と煙センサ６の外周部との隙間をリブ２１で塞ぎ込んで閉領域２５のような領域を形成したり、リブ２２をその周辺に設けたりすれば良い。
【００５３】
（３）上述の実施形態においては、リブ２２を挟んでＣＯセンサ収容部２４とは反対側が閉領域２６である例を示したが、例えば、ケースＣの外周部に達する単独のリブ２１であっても良い。この場合も、リブ２２は上述と同様の作用効果を奏する。
【００５４】
（４）上述の実施形態においては、センサ収容部２４の両隣のうち片側のみにリブ２２を設けた例を示したが、必要に応じて、センサ収容部２４の両隣の両方側にリブ２２を設けてあっても良い。また、閉じられた領域はセンサ収容部２４に限られるものではなく、別の閉じられた領域（閉領域２６，２７等）であっても良い。そして、別の閉じられた領域の両隣の片側あるいは両側にリブ２２を設けてあっても良い。なお、閉じられた領域が隣り合っており、その間に一つしかリブがないときは、リブ２２を共有してあっても良い。
【産業上の利用可能性】
【００５５】
本発明は、ＣＯセンサと煙センサとを備えた警報器に限らず、その他のガスセンサと煙センサとを備えた警報器にも適用可能である。
【符号の説明】
【００５６】
６    煙センサ
７    ＣＯセンサ（ガスセンサ）
２１  リブ（煙案内部）
２５  閉領域（閉じられた領域）
４２  電池収容部
６１  発光部
６２  受光部
６３  煙導入口
Ｃ    ケース
Ｇ    隙間
Ｗ    壁面
【図１】
0005858269.tif 000002
【図２】
0005858269.tif 000003
【図３】
0005858269.tif 000004
【図４】
0005858269.tif 000005
【図５】
0005858269.tif 000006
【図６】
0005858269.tif 000007
【図７】
0005858269.tif 000008